(57)【特許請求の範囲】
【請求項１】
浴室（Ａ）の天井裏（Ｂ）に設置される箱体状の本体ケース（１２Ａ）の内部に、換気ファン（５４）及び換気ファンケース（５６）を有する換気送風機（５１）を収容した換気室（３６）が形成されると共に、熱交換器（３８）及び循環送風機（４１）を収容した熱交換室（３６）が形成され、浴室の暖房及び換気を行うようにした浴室暖房機において、
前記換気送風機（５１）は、本体ケース（１２Ａ）内のコーナー部に配置すると共に、前記換気ファンケース（５６）の吐出口（５８）を直交する２方向のうちの何れかの方向に選択可能に配置する構成とし、
前記本体ケース（１２Ａ）の互いに直交する複数の側板（１８ｂ）（１８ｃ）には、前記換気ファンケース（５６）の吐出口（５８）に対応すべくダクト接続用の開口部（２４）（２５）をそれぞれ設け、
これら複数の開口部（２４）（２５）のうち、前記換気ファンケース（５６）の吐出口（５８）を臨ませた本体ケース（１２Ａ）の一方の開口部（２４）には接続アダプタ（２８）を介して排気ダクト（６）を接続し、かつ、本体ケース（１２Ａ）の他方の開口部（２４）は、接続アダプタ（２８）を介して吸気ダクト（５）を接続するか、或いは閉塞板で閉塞する構成としたことを特徴とする浴室暖房装置。
【発明の詳細な説明】
【０００１】
【発明の属する技術分野】
本発明は、浴室の天井裏等に設置して浴室内に温風を循環させ浴室内の暖房を行うとともに、浴室等を換気する浴室暖房機に関するものである。
【０００２】
【従来の技術】
従来、例えば、浴室の天井裏等に設置し浴室内の暖房と、浴室及び浴室に隣接する別室の換気をする浴室暖房機が知られている。
【０００３】
この種浴室暖房機は、浴室の天井に設けられた開口部の裏側（上方）に本体を設置し、天井の開口部を塞ぐように天井面に吸込グリルを設置する構成となっており、本体内部に設けられた熱交換器で浴室の空気を加熱し、かつ隣接する別室の天井に据え付けられた吸気口から吸気ダクトを介して本体へ空気を導き、この空気を浴室内の空気ととともに排気ダクトを介して外部へ排気するものである。当該浴室暖房機の本体側面には、２つの開口が設けられ、これらの開口にはそれぞれ吸気ダクトまたは排気ダクトを接続するためのダクト接続部が設けられている。
【０００４】
【発明が解決しようとする課題】
しかしながら、上述のような従来技術において、ダクト接続作業を行うためにはダクト接続部の近くの天井に点検口を設ける必要があり、これらダクト接続部及び点検口の配置によってはダクトの接続作業が困難になったり、ダクト配管の配置が複雑になったりすることがある。
【０００５】
本発明は、上述した事実に鑑みて成されたものであり、排気ダクト及び吸気ダクトの本体への接続作業を容易にするとともに、ダクト配管の配置を簡素化して設置工事の効率を良くする浴室暖房機を提供することを目的とする。
【０００６】
【課題を解決するための手段】
上記目的を達成するために、請求項１に記載の発明は、浴室（Ａ）の天井裏（Ｂ）に設置される箱体状の本体ケース（１２Ａ）の内部に、換気ファン（５４）及び換気ファンケース（５６）を有する換気送風機（５１）を収容した換気室（３６）が形成されると共に、熱交換器（３８）及び循環送風機（４１）を収容した熱交換室（３６）が形成され、浴室の暖房及び換気を行うようにした浴室暖房機において、前記換気送風機（５１）は、本体ケース（１２Ａ）内のコーナー部に配置すると共に、前記換気ファンケース（５６）の吐出口（５８）を直交する２方向のうちの何れかの方向に選択可能に配置する構成とし、前記本体ケース（１２Ａ）の互いに直交する複数の側板（１８ｂ）（１８ｃ）には、前記換気ファンケース（５６）の吐出口（５８）に対応すべくダクト接続用の開口部（２４）（２５）をそれぞれ設け、これら複数の開口部（２４）（２５）のうち、前記換気ファンケース（５６）の吐出口（５８）を臨ませた本体ケース（１２Ａ）の一方の開口部（２４）には接続アダプタ（２８）を介して排気ダクト（６）を接続し、かつ、本体ケース（１２Ａ）の他方の開口部（２４）は、接続アダプタ（２８）を介して吸気ダクト（５）を接続するか、或いは閉塞板で閉塞する構成としたことを特徴とする。
【０００７】
【０００８】
【０００９】
【００１０】
【００１１】
【００１２】
【００１３】
【００１４】
【発明の実施の形態】
以下、本発明の一実施形態を図面に基づいて説明する。
【００１５】
図１は本発明の一実施形態における浴室暖房装置の構成図、図２は浴室暖房機を下から見た斜視図、図３は浴室暖房機の一部を外して示した底面図、図４は図３の一部拡大図、図５は浴室暖房機の縦断面説明図、図６は接続アダプタの斜視図、図７は図３と別の換気ファンケースの配置を示す底面図である。
【００１６】
図１において、浴室暖房装置１は、浴室Ａの天井裏Ｂ等に設置される浴室暖房機２と、この浴室暖房機２に温水等の熱媒を供給する熱源機３とを備え、温水配管４にて接続される。浴室暖房機２には、浴室Ａに隣接する脱衣室Ｃの天井に吸気口９を設けて脱衣室Ｃの空気を導くための吸気ダクト５と、浴室Ａ及び脱衣室Ｃの空気を外部へ排出するための排気ダクト６とが接続されており、これらのダクト５、６が浴室Ａ及び脱衣室Ｃの天井裏Ｂに配管されている。浴室暖房機２近傍の天井には点検口１０が設けられ、脱衣室Ｃの壁には、浴室暖房機２を操作するためのリモコン７が設けられている。リモコン７及び浴室暖房機２間、並びに浴室暖房機２及び熱源機３間が信号線８にて接続される。
【００１７】
図２において、前記浴室暖房機２は、浴室Ａの天井開口部の裏側に４本の吊りボルト１１にて吊り下げられて設置される本体１２と、天井開口部を塞ぐように天井面に設けられる吸込グリル１３とから構成され、この吸込グリル１３が本体１２の底面にねじ止め固定されている。
【００１８】
前記吸込グリル１３には吸込口１４と吹出口１５が並設され、吸込口１４には裏面にエアフィルタ１６が着脱自在に設けられ、吹出口１５の縁には吹出方向を調節するルーバー１７が設けられている。このルーバー１７は一端に設けられたルーバーモータ（図示せず）によって回動自在に駆動される。
【００１９】
図３〜図５において、前記浴室暖房機２の本体１２は、４つの側板１８ａ、１８ｂ、１８ｃ、１８ｄと天板１９とを有して下方に開口する箱体状をし、かつ、樹脂にて一体成型された本体ケース１２Ａを備えている。この本体ケース１２Ａの四隅には窪み部が形成され、この窪み部に吊りボルト１１を固定するための固定部２１が形成されている。本体ケース１２Ａの一隅を挟む両側板１８ｂ、１８ｃには、角状の開口が形成されたダクト接続部（本体の開口部）２４、２５が形成され、これらのダクト接続部２４、２５に吸気ダクト５または排気ダクト６を接続する。吸気ダクト５は、ダクト接続部２４（または２５）に吸気用取付枠２６をねじ止め固定し、この吸気用取付枠２６に接続アダプタ２８をねじ止め固定することにより接続できる。同様に、排気ダクト６は、ダクト接続部２５（または２４）に排気用取付枠２７をねじ止め固定し、この排気用取付枠２７に接続アダプタ２８をねじ止め固定することにより接続できる。
【００２０】
前記接続アダプタ２８は、吸気ダクト用及び排気ダクト用ともに同じ形状であり、図６に示すように、９０度に曲がった曲管形状をして連通する開口部３１、３２を有し樹脂にて一体成型されている。一方の開口部３１には複数のねじ孔が形成されたフランジ３１ａが形成され、他方の開口部３２が円形をしている。この接続アダプタ２８は、両開口部３１、３２が水平方向になるように、フランジ側開口部３１が吸気用取付枠２６または排気用取付枠２７にねじ止め固定されるとともに、他方の開口部３２がダクト５（または６）に外嵌され取り付けられる。この接続アダプタ２８は、取付枠２６、２７に対して１８０度反転可能に取り付けることができる。
【００２１】
前記排気用取付枠２７には、内部にダンパー板（図示せず）を備えている。このダンパー板は、上縁に回動軸が設けられ、枠部分に設けられた軸受けに枢着される。このダンパー板により排気用取付枠２７は、排気ダクト６を通して屋外へ排出される空気を通過させ、屋外から流れ込む風の流入を防止する。
【００２２】
本体ケース１２Ａ内は、縦仕切板３３及び循環ファンケース３４の一部によってほぼ半分に仕切られ熱交換室３５と換気室３６とが形成されている。この縦仕切板３３には熱交換室３５と換気室３６とを連通する連通口３９が設けられている。
【００２３】
前記熱交換室３５には、前記吸込グリル１３の吸込口１４及び吹出口１５に対応する位置にそれぞれ通気口が設けられ、これらの通気口を連通する通風路３７が設けられている。この通風路３７内には、通過する空気を加熱する加熱手段としての熱交換器３８と、浴室Ａ内の空気を吸い込んで浴室Ａ内に吹き出すための循環送風機４１とが設けられている。
【００２４】
前記熱交換器３８は、横長の直方体形状で温水管が蛇行状に配設されており、温水配管４を介して外部の熱源機３に接続される（図１参照）。熱交換器３８の入口側には温水の流れを断続する熱動弁４２が設けられる。
【００２５】
前記循環送風機４１は、前記熱交換器３８に並設され、循環ファン４３、ファンモータ４４及びファンケース３４から構成され、循環ファン４３には、クロスフローファンが用いられる。この循環ファン４３の回転軸は一方が中空で他方が突出しており、中空の回転軸にはファンモータ４４のシャフトが接続され、突出する回転軸には軸受け４５が枢着される。
【００２６】
前記換気室３６には、換気送風機５１と電装箱５２とが収容される。この換気送風機５１は、前記ダクト接続部２４、２５が形成されたコーナーに設けられ、換気ファンモータ５３、換気ファン５４、換気モータケース５５及び換気ファンケース５６から構成される。換気室３６の上部に換気モータケース５５が設けられ、下部に換気ファンケース５６が設けられる。換気ファンモータ５３は、シャフトを下向きにして換気モータケース５５に内蔵され、このシャフトに換気ファン５４としてのシロッコファンが取り付けられる。
【００２７】
前記換気ファンケース５６は、図４に示すように、換気ファン５４を内蔵するとともに、上方に開口し下方から見て渦巻形をしている。上縁に固定用のねじ孔を有する複数の突起片５７が形成され、側面に吐出口５８、下面に円形の吸込口５９を有して換気モータケース５５の下面にねじ止め固定される。換気ファンケース５６は、図３、図７に示すように、吐出口５８を２つの側板方向１８ｃ、１８ｂへ向けた２通りの取付が可能である。吐出口５８の向いた方向のダクト接続部２４（または２５）に排気ダクト６が接続され、他方のダクト接続部２５（または２４）に吸気ダクト５が接続される。
【００２８】
前記電装箱５２には、熱源機３及び浴室暖房機２等の電気部品を制御して浴室暖房装置１を制御する制御装置（図示せず）が備えられ、この制御装置は、信号線８にて熱源機３及びリモコン７につながれている。
【００２９】
図８はリモコンの正面図である。図８において、前記リモコン７には、運転の入切、暖房温度、タイマー時間及びルーバー１７の角度を表示する表示部６１と、操作スイッチの配置された操作部６２とが配置されており、操作部６２には、暖房、乾燥、換気、涼風の各運転モードで浴室暖房機２の運転を入切する各運転スイッチ６３〜６６、設定温度を設定する温度スイッチ６７、タイマー時間を設定するタイマースイッチ６８、及びルーバー１７の角度を変更して吹出方向を適当な向きに設定またはルーバー１７をスイングさせる風向スイッチ６９が配置されている。
【００３０】
次に、各運転モードにおける浴室暖房機の動作について説明する。
【００３１】
暖房スイッチ６３がＯＮ操作され暖房運転モードが指令されると、制御装置は、換気ファン５４を停止させた状態で循環ファン４３を作動させる暖房運転を実行する。この暖房運転モードにおいては、浴室Ａ内の温度が予め設定されている設定温度範囲に維持されるように熱動弁４２の開閉を制御して熱交換器３８に温水を循環供給させる。そして、図５の実線矢印に示すように、吸込口１４を通して浴室Ａの空気を吸い込み、熱交換器３８により加熱された空気を吹出口１５から浴室Ａへ吹き出して暖房運転をする。
【００３２】
換気スイッチ６５がＯＮ操作され換気運転モードが指令されると、制御装置は循環ファン４３を停止し、熱動弁４２を閉状態にし、換気ファン５４を作動させる換気運転を実行する。この換気運転モードにおいては、図５の破線矢印に示すように、浴室Ａと吸気ダクト５を通して脱衣室Ｃとから吸い込んだ空気を排気ダクト６を通して屋外へ排出する。このとき、循環ファン４３の作動が停止しているのでルーバー１７の向きは閉状態になる。換気運転が指令されてから設定時間が経過するか、または、再度換気スイッチ６５が操作されると、換気運転を終了する。
【００３３】
涼風運転スイッチがＯＮ操作されて涼風運転モードが指令されると、制御装置は熱動弁４２を閉状態にし、循環ファン４３及び換気ファン５４を作動させる涼風運転を実行する。この涼風運転モードにおいては、図５の実線矢印に示すように、浴室Ａから吸い込んだ空気を加熱することなく通風路３７を通して浴室Ａに戻すとともに、図５の破線矢印に示すように、浴室Ａから吸い込んだ空気の一部と吸気ダクト５を通して脱衣室Ｃから吸い込んだ空気とを排気ダクト６を通して屋外へ排出する。ルーバー１７の向きは、例えば暖房運転と同じに設定される。涼風運転が指令されてから設定時間が経過するか、または、再度涼風スイッチ６６が操作されると、涼風運転を終了する。
【００３４】
乾燥スイッチ６４がＯＮ操作されて乾燥運転モードが指令されると、制御装置は循環ファン４３及び換気ファン５４を作動させる乾燥運転を実行する。この乾燥運転モードにおいては、浴室Ａ内の温度が予め設定されている乾燥用の設定温度範囲に維持されるように、熱動弁４２の開閉を制御して熱交換器３８に熱媒としての温水を循環供給させる。そして、図５の実線矢印に示すように、吸込口１４を通して浴室Ａの空気を吸い込み、熱交換器３８により加熱された空気を吹出口１５から浴室Ａへ吹き出すとともに、図５の破線矢印に示すように、浴室Ａから吸い込んだ空気の一部と吸気ダクト５を通して脱衣室Ｃから吸い込んだ空気とを排気ダクト６を通して屋外に排出する。この乾燥運転モードにおいて、例えば、浴室Ａ内に衣類等を吊下げて乾燥する場合、浴室Ａ内への空気の吹出方向は、衣類等の乾燥対象物に向けルーバーモータ（図示せず）にてルーバー１７の向きを調節する。乾燥対象物から蒸発し水分を含んで湿った空気が吸込口１４から吸い込まれ、熱交換器３８にて加熱されて浴室Ａ内に再度、吹き出される一方、循環通風される空気の一部は、屋外に排出される。乾燥運転が指令されてから設定時間が経過するか、または、再度乾燥スイッチ６４が操作されると、乾燥運転を終了する。
【００３５】
以上説明したように、本実施形態の浴室暖房機２は、本体側板１８に２ヵ所の開口部を設け、これらの開口部には、吸気ダクト５及び排気ダクト６のいずれでも接続でき、かつ、換気ファンケース５６の吐出口を選択して向けられるので、ダクト配管の配置に応じて前記開口部を吸気用と排気用とに使い分けることにより、ダクト配管の作業を容易することができる。
【００３６】
さらに、接続アダプタ２８は、ダクト接続部２４、２５に１８０度反転して接続できるので、図９〜図１１に示すように、接続アダプタ２８を３通りの組み合わせ方で本体への取付が可能である。吸気ダクト５及び排気ダクト６の延出方向を選択して設置することにより、ダクト配管の配置を簡素化して配管作業を容易にすることができる。
【００３７】
以上、一実施形態に基づいて本発明を説明したが、本発明はこれに限定されるものではない。
【００３８】
本実施形態では、９０度に曲げられた曲管形状の接続アダプタ２８を使用しているが、直管形状のものや、９０度以上の角度を有する曲管形状のものであっても良い。
【００３９】
また、本実施形態では、浴室Ａ及び脱衣室Ｃの換気を行うようにしているが、図１２に示すように、脱衣室Ｃの換気を行わないで浴室Ａのみを換気することもできる。その場合、吸気ダクト用のダクト接続部２４（または２５）の開口を塞ぐ必要があり、ダクト接続部２４（または２５）に吸気用取付枠２６を取り付けた後、閉塞板（図示せず）を取り付けて閉鎖する。
【００４０】
【発明の効果】
以上説明したように、本発明の浴室暖房機は、浴室の天井裏に設置される箱体状の本体ケースの内部に、換気ファン及び換気ファンケースを有する換気送風機を収容した換気室が形成されると共に、熱交換器及び循環送風機を収容した熱交換室が形成され、浴室の暖房及び換気を行うようにした浴室暖房機において、前記換気送風機は、本体ケース内のコーナー部に配置すると共に、前記換気ファンケースの吐出口を直交する２方向のうちの何れかの方向に選択可能に配置する構成とし、前記本体ケースの互いに直交する複数の側板には、前記換気ファンケースの吐出口に対応すべくダクト接続用の開口部をそれぞれ設け、これら複数の開口部のうち、前記換気ファンケースの吐出口を臨ませた本体ケースの一方の開口部には接続アダプタを介して排気ダクトを接続し、かつ、本体ケースの他方の開口部は、接続アダプタを介して吸気ダクトを接続するか、或いは閉塞板で閉塞する構成としたから、吸気ダクトと排気ダクトの配置が変更でき、ダクト配管作業を容易にして作業の効率化が図れる。
【００４１】
【００４２】
また、吸気ダクト及び排気ダクトのダクト配管作業を容易にしたことにより、浴室暖房機の設置作業の効率化を図ることができる。
【図面の簡単な説明】
【図１】  本発明の一実施形態における浴室暖房装置の構成図である。
【図２】  本発明の一実施形態における浴室暖房機を下から見た斜視図である。
【図３】  図２の一部を外して示した底面図である。
【図４】  図３の一部拡大図である。
【図５】  本発明の一実施形態における浴室暖房機の縦断面説明図である。
【図６】  接続アダプタの斜視図である。
【図７】  図３と別の換気ファンケースの配置を示す底面図である。
【図８】  リモコンの正面図である。
【図９】  浴室暖房機本体に接続アダプタを接続した一例を示す平面説明図である。
【図１０】  図９と別の一例を示す平面説明図である。
【図１１】  図９、図１０と別の例を示す平面説明図である。
【図１２】  本発明の図１と別の浴室暖房装置の構成図である。
【符号の説明】
１  浴室暖房装置
２  浴室暖房機
３  熱源機
５  吸気ダクト
６  排気ダクト
７  リモコン
１２  本体
１２Ａ  本体ケース
１８、１８ａ、１８ｂ、１８ｃ、１８ｄ  側板
２４、２５  ダクト接続部（ダクト接続用の開口部）
２６  吸気用取付枠
２７  排気用取付枠
２８  接続アダプタ
３５  熱交換室
３６  換気室
３８  熱交換器
４１ 循環送風機
５１  換気送風機
５３  換気ファンモータ
５４  換気ファン
５５  換気モータケース
５６  換気ファンケース
Ａ  浴室
Ｂ  天井裏
Ｃ  脱衣室
【図１】
0003789807.tif 000002
【図２】
0003789807.tif 000003
【図３】
0003789807.tif 000004
【図４】
0003789807.tif 000005
【図５】
0003789807.tif 000006
【図６】
0003789807.tif 000007
【図７】
0003789807.tif 000008
【図８】
0003789807.tif 000009
【図９】
0003789807.tif 000010
【図１０】
0003789807.tif 000011
【図１１】
0003789807.tif 000012
【図１２】
0003789807.tif 000013